(57)【要約】【課題】    本発明の目的は、容易に分離することができる玩具ブロック構造体を提供するものである。【解決手段】    玩具ブロック構造体Ｔは、凹凸部を有する玩具ブロック１を嵌合して形成する玩具ブロック構造体Ｔであって、玩具ブロック構造体Ｔの隣接する一方の玩具ブロック１（Ｔ１）と隣接する他方の玩具ブロック２（Ｔ２）との境界部に手の爪が入る隙間１０が形成されているものである。【選択図】図２
2017196114.tif 000002
【特許請求の範囲】
【請求項１】
凹凸部を有する玩具ブロックを嵌合して形成する玩具ブロック構造体であって、
前記玩具ブロック構造体の隣接する一方の玩具ブロックと隣接する他方の玩具ブロックとの境界部に手の爪が入る隙間が形成されている
ことを特徴とする玩具ブロック構造体。
【請求項２】
玩具ブロック構造体の隣接する一方の玩具ブロックの底面の側に設けられた凹部に隣接する他方の玩具ブロックの頂面の側に設けられた凸部が嵌合して前記玩具ブロック構造体を形成するものであり、
隣接する前記他方の玩具ブロックの頂面の角部がテーパ面又はアール面又は前記頂面より低い面に形成されて、前記玩具ブロック構造体の隣接する前記一方の玩具ブロックと隣接する前記他方の玩具ブロックとの境界部に手の爪が入る隙間が形成されている
ことを特徴とする請求項１記載の玩具ブロック構造体。
【請求項３】
玩具ブロック構造体の隣接する一方の玩具ブロックの底面の側に設けられた凹部に隣接する他方の玩具ブロックの頂面の側に設けられた凸部が嵌合して前記玩具ブロック構造体を形成するものであり、
隣接する前記一方の玩具ブロックの底面の角部がテーパ面又はアール面又は前記底面より高い面に形成されて、前記玩具ブロック構造体の隣接する前記一方の玩具ブロックと隣接する前記他方の玩具ブロックとの境界部に手の爪が入る隙間が形成されている
ことを特徴とする請求項１記載の玩具ブロック構造体。
【請求項４】
玩具ブロック構造体の隣接する一方の玩具ブロックの底面の側に設けられた凹部に隣接する他方の玩具ブロックの頂面の側に設けられた凸部が嵌合して前記玩具ブロック構造体を形成するものであり、
隣接する前記他方の玩具ブロックの頂面の外周がテーパ面又はアール面又は前記頂面より低い面に形成され、前記玩具ブロック構造体の隣接する前記一方の玩具ブロックの底面の外周と隣接する前記他方の玩具ブロックの頂面の外周の前記テーパ面又は前記アール面又は前記頂面より低い面との間に手の爪が入る隙間が形成されている
ことを特徴とする請求項１記載の玩具ブロック構造体。
【請求項５】
玩具ブロック構造体の隣接する一方の玩具ブロックの底面の側に設けられた凹部に隣接する他方の玩具ブロックの頂面の側に設けられた凸部が嵌合して前記ブロック構造体を形成するものであり、
隣接する前記一方の玩具ブロックの底面の外周がテーパ面又はアール面又は前記底面より高い面に形成され、前記玩具ブロック構造体の隣接する前記一方の玩具ブロックの底面の外周の前記テーパ面又は前記アール面又は前記底面より高い面と隣接する前記他方の玩具ブロックの頂面の外周との間に手の爪が入る隙間が形成されている
ことを特徴とする請求項１記載の玩具ブロック構造体。
【請求項６】
凹凸部を有する玩具ブロックを嵌合して形成する玩具ブロック構造体であって、
前記玩具ブロックは、ベースの頂面に前記凸部を有し、ベースの頂面と反対側の底面に前記凸部に嵌合する凹部を有するものであり、
前記玩具ブロックの前記頂面より前記玩具ブロックの側面に張り出す頂面張り出し部又は前記玩具ブロックの側面より外方に張り出す外方張り出し部又は前記玩具ブロックの底面より前記玩具ブロックの側面に張り出す底面張り出し部又は前記玩具ブロックの側面に設けた側面凹所を有し、
前記頂面張り出し部又は前記外方張り出し部又は底面張り出し部又は前記側面凹所は手の爪が係止する係止部に形成されている
ことを特徴とする玩具ブロック構造体。
【発明の詳細な説明】
【技術分野】
【０００１】
本発明は、玩具ブロック構造体に係り、特に、玩具ブロックに容易に分離することができる玩具ブロック構造体に関する。
【背景技術】
【０００２】
従来、凹凸部を有する玩具ブロック、例えば、レゴブロック（登録商標）を嵌合して玩具ブロック構造体を形成している。
近時、緻密な玩具ブロック構造体を形成するために、玩具ブロック自体の大きさが小型化している。
例えば、図１（ａ）（ｂ）に示すように、玩具ブロック構造体１００を構成する玩具ブロック１０１のＷの寸法は８ｍｍ、Ｌの寸法は３１ｍｍ、Ｈの寸法は５ｍｍ程度となっている。
【発明の概要】
【発明が解決しようとする課題】
【０００３】
ところが、上記図１（ａ）記載の玩具ブロック構造体１００にあっては、玩具ブロック１０１を複数結合して玩具ブロック構造体１００を形成し、形成後、玩具ブロック構造体１００を玩具ブロック１０１単体に分離する場合、玩具ブロック１０１が小さいため、力を入れて手で玩具ブロック１０１を把持し難く、玩具ブロック構造体１００を容易に分離することができないという問題点が生じた。
【０００４】
本発明は、上記の点を考慮したなされた玩具ブロック構造体を提供することを目的とする。
【課題を解決するための手段】
【０００５】
請求項１記載の玩具ブロック構造体は、凹凸部を有する玩具ブロックを嵌合して形成する玩具ブロック構造体であって、前記玩具ブロック構造体の隣接する一方の玩具ブロックと隣接する他方の玩具ブロックとの境界部に手の爪が入る隙間が形成されているものである。
【０００６】
また、請求項２記載の玩具ブロック構造体は、請求項１記載の玩具ブロック構造体において、玩具ブロック構造体の隣接する一方の玩具ブロックの底面の側に設けられた凹部に隣接する他方の玩具ブロックの頂面の側に設けられた凸部が嵌合して前記玩具ブロック構造体を形成するものであり、隣接する前記他方の玩具ブロックの頂面の角部がテーパ面又はアール面又は前記頂面より低い面に形成されて、前記玩具ブロック構造体の隣接する前記一方の玩具ブロックと隣接する前記他方の玩具ブロックとの境界部に手の爪が入る隙間が形成されているものである。
【０００７】
また、請求項３記載の玩具ブロック構造体は、請求項１記載の玩具ブロック構造体において、玩具ブロック構造体の隣接する一方の玩具ブロックの底面の側に設けられた凹部に隣接する他方の玩具ブロックの頂面の側に設けられた凸部が嵌合して前記玩具ブロック構造体を形成するものであり、隣接する前記一方の玩具ブロックの底面の角部がテーパ面又はアール面又は前記底面より高い面に形成されて、前記玩具ブロック構造体の隣接する前記一方の玩具ブロックと隣接する前記他方の玩具ブロックとの境界部に手の爪が入る隙間が形成されているものである。
【０００８】
また、請求項４記載の玩具ブロック構造体は、請求項１記載の玩具ブロック構造体において、 玩具ブロック構造体の隣接する一方の玩具ブロックの底面の側に設けられた凹部に隣接する他方の玩具ブロックの頂面の側に設けられた凸部が嵌合して前記玩具ブロック構造体を形成するものであり、隣接する前記他方の玩具ブロックの頂面の外周がテーパ面又はアール面又は前記頂面より低い面に形成され、前記玩具ブロック構造体の隣接する前記一方の玩具ブロックの底面の外周と隣接する前記他方の玩具ブロックの頂面の外周の前記テーパ面又は前記アール面又は前記頂面より低い面との間に手の爪が入る隙間が形成されているものである。
【０００９】
また、請求項５記載の玩具ブロック構造体は、請求項１記載の玩具ブロック構造体において、玩具ブロック構造体の隣接する一方の玩具ブロックの底面の側に設けられた凹部に隣接する他方の玩具ブロックの頂面の側に設けられた凸部が嵌合して前記ブロック構造体を形成するものであり、隣接する前記一方の玩具ブロックの底面の外周がテーパ面又はアール面又は前記底面より高い面に形成され、前記玩具ブロック構造体の隣接する前記一方の玩具ブロックの底面の外周の前記テーパ面又は前記アール面又は前記底面より高い面と隣接する前記他方の玩具ブロックの頂面の外周との間に手の爪が入る隙間が形成されているものである。
【００１０】
また、請求項６記載の玩具ブロック構造体は、凹凸部を有する玩具ブロックを嵌合して形成する玩具ブロック構造体であって、前記玩具ブロックは、ベースの頂面に前記凸部を有し、ベースの頂面と反対側の底面に前記凸部に嵌合する凹部を有するものであり、前記玩具ブロックの前記頂面より前記玩具ブロックの側面に張り出す頂面張り出し部又は前記玩具ブロックの側面より外方に張り出す外方張り出し部又は前記玩具ブロックの底面より前記玩具ブロックの側面に張り出す底面張り出し部又は前記玩具ブロックの側面に設けた側面凹所を有し、前記頂面張り出し部又は前記外方張り出し部又は底面張り出し部又は前記側面凹所は手の爪が係止する係止部に形成されているものである。
【発明の効果】
【００１１】
請求項１記載の玩具ブロック構造体によれば、玩具ブロック構造体の隣接する一方の玩具ブロックと隣接する他方の玩具ブロックとの境界部に手の爪が入る隙間が形成されているため、隙間に手の爪を入れて、玩具ブロック構造体の隣接する一方の玩具ブロックと隣接する他方の玩具ブロックとを容易に分離することができる。
【００１２】
また、請求項２記載の玩具ブロック構造体によれば、上述した請求項１記載の発明の効果に加え、隣接する他方の玩具ブロックの頂面の角部がテーパ面又はアール面又は前記頂面より低い面に形成されて、玩具ブロック構造体の隣接する一方の玩具ブロックと隣接する他方の玩具ブロックとの境界部に手の爪が入る隙間が形成されている、つまり、隙間が角部に形成されるため、隙間が意匠的に大きく目立たず、隙間に手の爪を入れて、玩具ブロック構造体を容易に分離することができる。
【００１３】
また、請求項３記載の玩具ブロック構造体によれば、上述した請求項１記載の発明の効果に加え、隣接する一方の玩具ブロックの底面の角部がテーパ面又はアール面又は前記底面より高い面に形成されて、玩具ブロック構造体の隣接する一方の玩具ブロックと隣接する他方の玩具ブロックとの境界部に手の爪が入る隙間が形成されている、つまり、隙間が角部に形成されるため、隙間が意匠的に大きく目立たず、隙間に手の爪を入れて、玩具ブロック構造体を容易に分離することができる。
【００１４】
また、請求項６記載の玩具ブロック構造体によれば、玩具ブロックの頂面より玩具ブロックの側面に張り出す頂面張り出し部又は玩具ブロックの側面より外方に張り出す外方張り出し部又は玩具ブロックの底面より玩具ブロックの側面に張り出す底面張り出し部又は玩具ブロックの側面に設けた側面凹所を有し、頂面張り出し部又は外方張り出し部又は底面張り出し部又は側面凹所は手の爪が係止する係止部に形成されているため、係止部に手の爪を係止させて、玩具ブロック構造体の隣接する一方の玩具ブロックと隣接する他方の玩具ブロックとを容易に分離することができる。
【図面の簡単な説明】
【００１５】
【図１】図１（ａ）は、従来の玩具ブロック構造体の概略的斜視図であり、図１（ｂ）は、図１（ａ）の玩具ブロック構造体を構成する玩具ブロックの概略的斜視図である。
【図２】図２は、本発明の一実施例の玩具ブロック構造体の概略的斜視図である。
【図３】図３は、図２の玩具ブロック構造体を構成する玩具ブロックの嵌合状態を示す概略的斜視図である。
【図４】図４は、図３の玩具ブロック構造体を構成する玩具ブロックの概略的斜視図である。
【図５】図５は、図４の玩具ブロックを底面側から見た概略的斜視図である。
【図６】図６は、図２の玩具ブロック構造体と異なる他の実施例の玩具ブロック構造体の概略的斜視図である。
【図７】図７は、図６の玩具ブロック構造体を構成する玩具ブロックの概略的斜視図である。
【図８】図８は、図６の玩具ブロック構造体と異なる他の実施例の玩具ブロック構造体の概略的斜視図である。
【図９】図９は、図８の玩具ブロック構造体を底面側から見た概略的斜視図である。
【図１０】図１０は、図８の玩具ブロック構造体を構成する玩具ブロックの概略的斜視図である。
【図１１】図１１は、図１０の玩具ブロックと異なる他の実施例の玩具ブロックの概略的斜視図である。
【図１２】図１２は、図１１の玩具ブロックと異なる他の実施例の玩具ブロックの概略的斜視図である。
【図１３】図１３は、図１２の玩具ブロックと異なる他の実施例の玩具ブロックの概略的斜視図である。
【図１４】図１４は、図１３の玩具ブロックと異なる他の実施例の玩具ブロックの概略的斜視図である。
【図１５】図１５は、図１４の玩具ブロックと異なる他の実施例の玩具ブロックの概略的斜視図である。
【図１６】図１６は、図１５の玩具ブロックと異なる他の実施例の玩具ブロックの概略的斜視図である。
【発明を実施するための形態】
【００１６】
本発明の一実施例の玩具ブロック構造体を図面（図２乃至図５）を参照して説明する。
図２に示すＴは玩具ブロック構造体で、玩具ブロック構造体Ｔは、図４及び図５に示す凹凸部を有する玩具ブロック１を嵌合して形成されるものである。
玩具ブロック構造体Ｔは、例えば、玩具ブロック構造体Ｔの隣接する一方の玩具ブロック１（Ｔ１）の底面ｄ（Ｔ１ｄ）の側に設けられた凹部ａ（Ｔ１ａ）に隣接する他方の玩具ブロック１（Ｔ２）の頂面ｆ（Ｔｆ２）の側に設けられた凸部Ａ（Ｔ２Ａ）が嵌合して形成するものである。
なお、図２及び図３に示すＡ（Ｔ１Ａ）は、一方の玩具ブロック１（Ｔ１）の頂面ｆの側に設けられた凸部である。
そして、玩具ブロック構造体Ｔの隣接する一方の玩具ブロック１（Ｔ１）と隣接する他方の玩具ブロック１（Ｔ２）との境界部に手の爪が入る隙間１０が形成されている。
そのため、玩具ブロック構造体Ｔを玩具ブロック１単体に分離したい場合には、隙間１０に手の爪を入れて、玩具ブロック構造体Ｔの隣接する一方の玩具ブロック１（Ｔ１）と隣接する他方の玩具ブロック１（Ｔ２）とを容易に分離することができる。
【００１７】
隙間１０は、具体的には、例えば、以下に示すようにして形成する。
即ち、玩具ブロック構造体Ｔの隣接する他方の玩具ブロック１（Ｔ２）の頂面ｆ（Ｔ２ｆ）の外周が全周に亘ってテーパ面Ｋ（Ｔ２Ｋ）に形成され、玩具ブロック構造体Ｔの隣接する一方の玩具ブロック１（Ｔ１）の底面ｄ（Ｔ１ｄ）の外周全周と隣接する他方の玩具ブロック１（Ｔ２）の頂面ｆ（Ｔｆ２）の外周全周のテーパ面Ｋ（Ｔ２Ｋ）との間に手の爪が入る隙間１０が形成されている。
【００１８】
図２記載の玩具ブロック構造体Ｔによれば、玩具ブロック構造体Ｔの隣接する一方の玩具ブロック１（Ｔ１）の底面ｄ（Ｔ１ｄ）の外周全周と隣接する他方の玩具ブロック１（Ｔ２）の頂面ｆ（Ｔｆ２）の外周全周のテーパ面Ｋ（Ｔ２Ｋ）との間に手の爪が入る隙間１０が形成されているため、隙間１０が全周に設けられている分、隣接する一方の玩具ブロック１（Ｔ１）と隣接する他方の玩具ブロック１（Ｔ２）との境界部の何れの位置からも爪を入れて玩具ブロック構造体Ｔを容易に分離することができる。
【００１９】
なお、本実施例の隙間１０を構成するテーパ面Ｋ（Ｔ１Ｋ  Ｔ２Ｋ）を、玩具ブロック１（Ｔ１  Ｔ２）の頂面ｆの外周全周に亘って設けたが、本願発明にあっては、これに限らず、例えば、図示しないが、テーパ面Ｋ（Ｔ１Ｋ  Ｔ２Ｋ）は、玩具ブロック１（Ｔ１  Ｔ２）の頂面ｆの外周の一部に形成しても良く、
また、本実施例の隙間１０を構成するテーパ面Ｋ（Ｔ１Ｋ  Ｔ２Ｋ）を、玩具ブロック１（Ｔ１  Ｔ２）の頂面ｆの外周全周に亘って設けたが、本願発明にあっては、これに限らず、例えば、図示しないが、テーパ面Ｋ（Ｔ１Ｋ  Ｔ２Ｋ）を、玩具ブロック１（Ｔ１  Ｔ２）の底面ｄ（Ｔ１ｄ  Ｔ２ｄ）の外周全周にわたって設けても良く、また、テーパ面Ｋ（Ｔ１Ｋ  Ｔ２Ｋ）を、玩具ブロック１（Ｔ１  Ｔ２）の底面ｄ（Ｔ１ｄ  Ｔ２ｄ）の外周の一部に形成しても良い。
また、本実施例の隙間１０を構成するテーパ面Ｋ（Ｔ２Ｋ）は、本願発明にあっては、これに限らず、例えば、アール面（図示せず）としても良い。アール面（図示せず）は、テーパ面Ｋ（Ｔ２Ｋ）と同様、玩具ブロック１（Ｔ１  Ｔ２）の頂面ｆの外周全周に亘って設けても良く、玩具ブロック１（Ｔ１  Ｔ２）の頂面ｆの外周の一部でも良く、玩具ブロック１（Ｔ１  Ｔ２）の底面ｄ（Ｔ１ｄ  Ｔ２ｄ）の外周全周にわたって設けても良く、玩具ブロック１（Ｔ１  Ｔ２）の底面ｄ（Ｔ１ｄ  Ｔ２ｄ）の外周の一部でも良い。
【００２０】
次に、図６及び図７を参照して、上述と異なる構成による隙間１０について、説明する。
即ち、隣接する他方の玩具ブロック１（Ｔ２）の頂面ｆ（Ｔ２ｆ）の外周部が全周にわたって頂面ｆ（Ｔ２ｆ）より低い面ｇ（Ｔ２ｇ）に形成され、玩具ブロック構造体Ｔの隣接する一方の玩具ブロック１（Ｔ１）の底面ｄ（Ｔ１ｄ）の外周全周と隣接する他方の玩具ブロック１（Ｔ２）の頂面ｆ（Ｔ２ｆ）より低い面ｇ（Ｔ２ｇ）との間に手の爪が入る隙間１０が形成されている
【００２１】
この玩具ブロック構造体Ｔによれば、隣接する他方の玩具ブロック１（Ｔ２）の頂面ｆ（Ｔ２ｆ）の外周部が全周にわたって頂面ｆ（Ｔ２ｆ）より低い面ｇ（Ｔ２ｇ）に形成され、玩具ブロック構造体Ｔの隣接する一方の玩具ブロック１（Ｔ１）の底面ｄ（Ｔ１ｄ）の外周全周と隣接する他方の玩具ブロック１（Ｔ２）の頂面ｆ（Ｔ２ｆ）より低い面ｇ（Ｔ２ｇ）との間に手の爪が入る隙間１０が形成されているため、隙間１０が全周に設けられている分、隣接する一方の玩具ブロック１（Ｔ１）と隣接する他方の玩具ブロック１（Ｔ２）との境界部の何れの位置からも爪を入れて玩具ブロック構造体Ｔを容易に分離することができる。
【００２２】
図６及び図７記載の玩具ブロック構造体Ｔにあっても、上述図２記載の玩具ブロック構造体Ｔと同様、隣接する一方の玩具ブロック１（Ｔ１）の底面ｄ（Ｔ１ｄ）の側に設けられた凹部（図示しないが、図５記載の凹部ａと同様のものである。）に隣接する他方の玩具ブロック１（Ｔ２）の頂面ｆ（Ｔ２ｆ）の側に設けられた凸部Ａ（Ｔ２Ａ）が嵌合して玩具ブロック構造体Ｔを形成するものである。
なお、本実施例の隙間１０を構成する頂面ｆ（Ｔ１ｆ  Ｔ２ｆ）の外周が全周に亘って頂面ｆ（Ｔ１ｆ  Ｔ２ｆ）より低い面ｇ（Ｔ１ｇ  Ｔ２ｇ）に形成されたが、本願発明にあっては、これに限らず、例えば、図示しないが、隙間１０を構成する頂面ｆ（Ｔ１ｆ  Ｔ２ｆ）の外周の一部が頂面ｆ（Ｔ１ｆ  Ｔ２ｆ）より低い面ｇ（Ｔ１ｇ  Ｔ２ｇ）に形成されるようにしても良く、
また、本実施例の隙間１０を構成する要素として、頂面ｆ（Ｔ１ｆ  Ｔ２ｆ）より低い面ｇ（Ｔ１ｇ  Ｔ２ｇ）に形成したが、本願発明にあっては、これに限らず、例えば、図示しないが、玩具ブロック１（Ｔ１  Ｔ２）の底面ｄ（Ｔ１ｄ  Ｔ２ｄ）の外周部が全周にわたって底面ｄ（Ｔ１ｄ  Ｔ２ｄ）より高い面に形成されても良く、また、玩具ブロック１（Ｔ１  Ｔ２）の底面ｄ（Ｔ１ｄ  Ｔ２ｄ）の外周の一部が底面ｄ（Ｔ１ｄ  Ｔ２ｄ）より高い面に形成されるようにしても良い。
【００２３】
次に、図８乃至図１０を参照して、上述と異なる構成による隙間１０について、説明する。
即ち、隣接する他方の玩具ブロック１（Ｔ２）の頂面ｆの角部がテーパ面Ｋ’に形成されて、玩具ブロック構造体Ｔの隣接する一方の玩具ブロック１（Ｔ１）と隣接する他方の玩具ブロック１（Ｔ２）との境界部に手の爪が入る隙間１０が形成されている。
この図８及び図９記載の玩具ブロック構造体Ｔによれば、隙間１０が角部に形成されるため、隙間１０が意匠的に大きく目立たず、隙間１０に手の爪を入れて、玩具ブロック構造体Ｔを容易に分離することができる。
図８及び図９記載の玩具ブロック構造体Ｔにあっても、上述図２記載の玩具ブロック構造体Ｔと同様、隣接する一方の玩具ブロック１（Ｔ１）の底面ｄの側に設けられた凹部ａに隣接する他方の玩具ブロック１（Ｔ２）の頂面ｆの側に設けられた凸部Ａが嵌合して玩具ブロック構造体Ｔを形成するものである。
【００２４】
なお、図１０記載にあっては、テーパ面Ｋ’を頂面ｆの角部（本実施例では、４カ所の角部）に形成したが、本願発明にあっては、これに限らず、例えば、図示しないが、底面ｄの角部（４カ所の角部）にテーパ面Ｋ’を形成しても良い。
また、頂面ｆの角部にテーパ面Ｋ’を形成したが、本願発明にあっては、これに限らず、例えば、図示しないが、頂面ｆの角部にアール面を形成しても良いと共に、前記アール面を頂面ｆの角部に変えて底面ｄの角部（４カ所の角部）に形成しても良い。
また、図１０記載にあっては、頂面ｆの角部にテーパ面Ｋ’を形成したが、本願発明にあっては、これに限らず、例えば、図１１に示すように、頂面ｆより低い面ｇ’に形成しても良く、また、図１１記載の頂面ｆより低い面ｇ’を図示しないが、底面ｄの角部に形成しても良く、底面ｄの角部の場合、底面ｄより高い面となる。
【００２５】
次に、図１２乃至図１５を参照して、上述と異なる構成による手の爪が係止する係止部について、説明する。
図１２乃至図１５記載の玩具ブロック１は、上述の玩具ブロック１と同様に、玩具ブロック１は、ベースの頂面ｆに凸部Ａを有し、ベースの頂面ｆと反対側の底面ｄに凸部Ａに嵌合する凹部（凹部は、図示しないが、図５記載の凹部ａと同様のものである。）を有するもので、例えば、一方の玩具ブロック１の底面ｄの側に設けられた凹部（凹部は、図示しないが、図５記載の凹部ａと同様のものである。）に隣接する他方の玩具ブロック１の頂面ｆの側に設けられた凸部Ａが嵌合して、上述したと同様の玩具ブロック構造体Ｔを形成するものである。
図１２に示すＧ１は、玩具ブロック１の頂面ｆより玩具ブロックｆの側面ｉに張り出す頂面張り出し部で、頂面張り出し部Ｇ１は手の爪が係止する係止部に形成されている。
この係止部、つまり、頂面張り出し部Ｇ１に手の爪を係止させて、玩具ブロック構造体Ｔの隣接する一方の玩具ブロック１と隣接する他方の玩具ブロック１とを容易に分離することができるようにしている。
なお、図１２において、頂面張り出し部Ｇ１は、頂面ｆの全周に亘って形成されているが、図示しないが、頂面張り出し部Ｇ１は、頂面ｆの全周の一部に形成されるようにしても良い。
【００２６】
また、図１３に示すＧ２は、玩具ブロック１の側面ｉより外方に張り出す外方張り出し部で、外方張り出し部Ｇ２は手の爪が係止する係止部に形成されている。
この係止部、つまり、外方張り出し部Ｇ２に手の爪を係止して、玩具ブロック構造体Ｔの隣接する一方の玩具ブロック１と隣接する他方の玩具ブロック１とを容易に分離することができるようにしている。
なお、図１３において、外方張り出し部Ｇ２は、側面ｉの全周に亘って形成されているが、図示しないが、外方張り出し部Ｇ２は、側面ｉの全周の一部に形成されるようにしても良い。
【００２７】
また、図１４に示すＧ３は、玩具ブロック１の底面（図１２及び図１３に示す底面ｄ）より玩具ブロック１の側面ｉに張り出す底面張り出し部で、底面張り出し部Ｇ３は手の爪が係止する係止部に形成されている。
この係止部、つまり、底面張り出し部Ｇ３に手の爪を係止させて、玩具ブロック構造体Ｔの隣接する一方の玩具ブロック１と隣接する他方の玩具ブロック１とを容易に分離することができるようにしている。
なお、図１４において、底面張り出し部Ｇ３は、底面（図１２及び図１３に示す底面ｄ）の全周に亘って形成されているが、図示しないが、底面張り出し部Ｇ３は、底面の全周の一部に形成されるようにしても良い。
【００２８】
また、図１５に示すＧ４は、玩具ブロック１の側面ｉに設けた側面凹所で、側面凹所Ｇ４は手の爪が係止する係止部に形成されている。
この係止部、つまり、側面凹所Ｇ４に手の爪を係止させて、玩具ブロック構造体Ｔの隣接する一方の玩具ブロック１と隣接する他方の玩具ブロック１とを容易に分離することができるようにしている。
なお、図１５において、側面凹所Ｇ４は、側面ｉの全周に亘って形成されているが、図示しないが、側面凹所Ｇ４は、側面ｉの全周の一部に形成されるようにしても良い。
【００２９】
次に、玩具ブロック構造体Ｔの分離方法を図１６を参照して説明する。
上述した実施例においては、隙間１０に手の爪を入れて、玩具ブロック構造体Ｔの隣接する一方の玩具ブロック１（Ｔ１）と隣接する他方の玩具ブロック１（Ｔ２）とを容易に分離するようにしたが、本願発明にあっては、これに限らず、例えば、図１６記載の玩具ブロック１であっても良い。
即ち、上述図２記載の実施例と同様に、凹凸部ａ（凹部ａは、図５記載と同様のものである。）、Ａを有する玩具ブロック１を嵌合して形成する玩具ブロック構造体Ｔであるが、この実施例の玩具ブロック１にあっては、図１６に示すように、頂面ｆに頂面ｆを貫通する貫通孔ｈを設けるようにする。
そして、上述図２記載の実施例と同様に、玩具ブロック構造体Ｔの隣接する一方の玩具ブロック１の底面ｄの側に設けられた凹部ａに隣接する他方の玩具ブロック１の頂面ｆの側に設けられた凸部Ａが嵌合して玩具ブロック構造体Ｔを形成するものである。
玩具ブロック構造体Ｔを玩具ブロック１単体に分離したい場合には、一方の手（例えば、右手）に持った工具（図示せず）の引っかけ部（例えば、図示しない引っかけ部の先端がＶ字形状又はＬ字形状となっている。）を貫通孔ｈを介して玩具ブロック１の頂面ｆの裏面に引っかけ、隣接する他方の玩具ブロック１を他方の手（例えば、左手）で挟持し、一方の手と他方の手を隣接する一方の玩具ブロック１と隣接する他方の玩具ブロック１とが離間する方向へ作用させて、玩具ブロック構造体Ｔを分離させることができる。
なお、図１６の実施例においては、貫通孔ｈを頂面ｆを貫通させたが、本願発明にあっては、これに限らず、図示しないが、側面ｉを貫通させる貫通孔としても良い。
【００３０】
なお、上述した玩具ブロック１は、望ましくは、底面から凸部までの高さが５ｍｍ未満に好適であり、より望ましくは、３．２ｍｍより未満の玩具ブロック１に好適である。
【符号の説明】
【００３１】
Ｔ      玩具ブロック構造体
１      玩具ブロック
Ｔ１    一方の玩具ブロック
Ｔ２    他方の玩具ブロック
１０    隙間
【図１】
2017196114.tif 000003
【図２】
2017196114.tif 000004
【図３】
2017196114.tif 000005
【図４】
2017196114.tif 000006
【図５】
2017196114.tif 000007
【図６】
2017196114.tif 000008
【図７】
2017196114.tif 000009
【図８】
2017196114.tif 000010
【図９】
2017196114.tif 000011
【図１０】
2017196114.tif 000012
【図１１】
2017196114.tif 000013
【図１２】
2017196114.tif 000014
【図１３】
2017196114.tif 000015
【図１４】
2017196114.tif 000016
【図１５】
2017196114.tif 000017
【図１６】
2017196114.tif 000018